(57)【特許請求の範囲】
【請求項１】
ビデオカメラに有線接続され且つそのフォーカス位置の調整及び絞りの制御を行うためのビデオカメラリモコンであって、
前記フォーカス位置の最近接点を設定する最近接点設定部と、
前記フォーカス位置の調整範囲を設定する調整範囲設定部と、
設定された前記最近接点及び調整範囲において前記フォーカス位置を調整するフォーカス位置調整部と、
絞りの最小点を設定する最小点設定部と、
絞りの調整範囲を設定する絞り調整範囲設定部と、
設定された最小点及び調整範囲において絞りを調整する絞り調整部と
を備えるビデオカメラリモコン。
【発明の詳細な説明】
【技術分野】
【０００１】
本発明は、ビデオカメラに有線接続され且つそのフォーカス位置を調整するためのビデオカメラリモコンに関する。
【背景技術】
【０００２】
従来、テレビ放送の撮影には、非常に大きなビデオカメラが使用されていたが、近年の技術の発展によって、比較的小型のビデオカメラでも放送用途に耐えうる撮影ができるようになったことから、ビデオカメラ自体の費用削減と、撮影に必要な人員数の削減のために、１人でも撮影が可能な放送業務用ハンディビデオカメラが利用されることが増えてきている。
【０００３】
このようなビデオカメラにおいては、レンズ部分にフォーカスリングが設けられており、このリングを回転させることによってフォーカス位置（ピントが合っている被写体の位置）の調整（ピント合わせ）を行うようになっている。このリングは、手で直接回転させることもできるが、ビデオカメラに設けられたカメラリモート端子に、フォーカス位置調整機能を有するビデオカメラリモコンを接続し、このリモコンを通じてフォーカス位置の調整を行うこともできる。
【０００４】
現在、市販されているビデオカメラリモコンにおいては、フォーカス位置調整用の回転ノブが設けられており、このノブを回転させることによってフォーカス位置を自在に調整することが可能になっている。
【発明の概要】
【発明が解決しようとする課題】
【０００５】
このようなビデオカメラリモコンを使えば、カメラマンの手元でフォーカス位置の調整を行うことができるので、非常に便利なものであるが、本発明者が実際にこのようなリモコンを使用して撮影を行ったところ、フォーカス位置の微妙な調整が容易ではなかった。
【０００６】
本発明はこのような事情に鑑みてなされたものであり、ビデオカメラに有線接続され且つそのフォーカス位置を容易に調整可能なビデオカメラリモコンを提供するものである。
【課題を解決するための手段】
【０００７】
本発明によれば、ビデオカメラに有線接続され且つそのフォーカス位置を調整するためのビデオカメラリモコンであって、前記フォーカス位置の最近接点を設定する最近接点設定部と、前記フォーカス位置の調整範囲を設定する調整範囲設定部と、設定された前記最近接点及び調整範囲において前記フォーカス位置を調整するフォーカス位置調整部とを備えるビデオカメラリモコンが提供される。
【０００８】
上記の通り、ビデオカメラのフォーカス位置調整を行うための有線リモコンは市販されているが、どれもあまり使い勝手がいいものではない。回転ノブを回してフォーカス位置を調整する際に、回転ノブ少し回すだけでフォーカス位置が大きく動いてしまい、フォーカス位置を正確に合わせるには熟練した技術と集中力が必要であった。
【０００９】
このような状況においては、本発明者は、リモコンで設定可能なフォーカス位置の範囲は例えば３０ｃｍ〜無限大といった非常に広範囲に渡っているにも関わらず、撮影時に実際に調整が必要な範囲は、例えば３〜５ｍといった狭い範囲に限られる場合が非常に多いことに気がついた。
【００１０】
そして、この気づきに基づき、フォーカス位置の最近接点を設定する最近接点設定部と、フォーカス位置の調整範囲を設定する調整範囲設定部をリモコンに設けることによって、フォーカス位置調整部による調整可能な範囲を狭い範囲に限定することができ、それによってフォーカス位置調整の分解能を向上させることができることを見出し、本発明の完成に到った。
【００１１】
このリモコンを使用すれば、撮影の最初に、最近接点設定と調整範囲設定を行ってフォーカス位置調整の分解能を向上させ、その後は、フォーカス位置調整のみを行うことによって、フォーカス位置調整を高分解能で容易に行うことができる。
【００１２】
また、本発明によれば、撮影時に、構図の選択等のフォーカス位置調整以外の作業に集中できるため、得られる映像の品質が向上し、経験の浅いカメラマンであっても、フォーカス位置が正確に調整された映像を撮影することができるという利点も得られる。
【図面の簡単な説明】
【００１３】
【図１】本発明の一実施形態のビデオカメラリモコンが放送業務用ハンディビデオカメラに有線接続された状態を示す。
【図２】本発明の一実施形態のビデオカメラリモコンの外観を示す。
【図３】本発明の一実施形態のビデオカメラリモコンの主要回路を示す回路図である。
【発明を実施するための形態】
【００１４】
１．全体構成
図１は、本発明の一実施形態のビデオカメラリモコン１が放送業務用ハンディビデオカメラ３に有線接続された状態を示す。
【００１５】
図１に示すように、ビデオカメラ３は、三脚７に装着されており、ビデオカメラリモコン１は、三脚７のパーン棒９に装着されている。ビデオカメラ３及びビデオカメラリモコン１には、それぞれ、ピンジャック（例：3.5φ-4極及び 2.5φ-3極）が設けられており、このピンジャックに対応するピンプラグを両端に有するケーブル２によって電気的に接続される。なお、ビデオカメラリモコン１にピンジャックを設ける代わりに、ビデオカメラリモコン１がケーブル２を備える構成にしてもよい。
【００１６】
ビデオカメラ３は、ズームリング、フォーカスリング、及びアイリスリングを有するレンズ５を備えており、これらのリングの回転がビデオカメラリモコン１によって制御されることによって、ズーム、フォーカス位置、及び絞りがそれぞれ調整される。なお、ビデオカメラリモコン１は、パーン棒９に固定する必要はなく、カメラマンが手で保持するようにしてもよい。また、複数台のビデオカメラ３のフォーカス位置等を一箇所で制御する場合には、それぞれのビデオカメラ３に有線接続されたビデオカメラリモコン１をラックマウントに固定して使用してもよい。
【００１７】
２．ビデオカメラリモコン１の詳細
次に、図２にを用いてビデオカメラリモコン１の詳細を説明する。ビデオカメラリモコン１は、レンズ５のズーム調整を行うズーム調整部１１と、ビデオカメラ３の録画スタート／ストップを制御する録画スタート／ストップ制御部１３、レンズ５のフォーカス位置の制御を行うフォーカス位置制御部１５と、レンズ５の絞りの制御を行う絞り制御部１７とを備える。フォーカス位置制御部１５のみが本発明の必須の構成であり、それ以外の構成は任意要素である。なお、ピンジャックは、例えばケースの上部に設けられている。
【００１８】
録画スタート／ストップ制御部１３は、ロックスイッチ１３ａをＯＮにした状態で、ＲＥＣボタン１３ｂを押すことによって、ＲＥＣボタン１３ｂを押す度に録画スタート／ストップを切り替えることができる。
【００１９】
ズーム調整部１１は、回転ノブを回転させることによって、レンズ５のズームリングの回転量を制御して、ズーム倍率を変化させる機能を有する。
【００２０】
フォーカス位置制御部１５は、フォーカス位置の最近接点を設定する最近接点設定部１５ａと、フォーカス位置の調整範囲を設定する調整範囲設定部１５ｂと、設定された最近接点及び調整範囲においてフォーカス位置を調整するフォーカス位置調整部１５ｃとを備える。また、オートフォーカス制御とマニュアルフォーカス制御の切替スイッチ１５ｄも備えられる。
【００２１】
絞り制御部１７は、絞りの最小点を設定する最小点設定部１７ａと、絞りの調整範囲を設定する絞り調整範囲設定部１７ｂと、設定された最小点及び調整範囲において絞りを調整する絞り調整部１７ｃとを備える。また、オート絞り制御とマニュアル絞り制御の切替スイッチ１７ｄも備えられる。
【００２２】
３．フォーカス位置制御部１５の詳細
フォーカス位置制御部１５の使用方法の一例は以下の通りである。なお、以下の説明では、フォーカス位置制御部１５の各構成要素が回転ノブで構成されている例を示しているが、これに限定されず、例えば、上下又は左右方向に移動するスライドレバーのような別の形態のものであってもよい。なお、絞り制御部１７の動作及び回路は、フォーカス位置制御部１５と同様である。
【００２３】
まず、切替スイッチ１５ｄを「ＭＡＮＵ」の側にして、フォーカス位置のマニュアル操作を可能にする。
【００２４】
次に、最近接点設定部１５ａの回転ノブを回転させて最近接点の調整を行う。ここで例えば最近接点を４ｍに設定すると、調整範囲設定部１５ｂ及びフォーカス位置調整部１５ｃをどのように設定しようとも、フォーカス位置は最近接点よりもカメラに近い位置にならない。従来のリモコンでは、１つの回転ノブでフォーカス位置の調整を行なっていて、最近接点は通常３０ｃｍ等の非常に短い距離に設定されていた。しかし、例えば、カメラマンと被写体の距離が常に４〜６ｍの範囲にあるような場合には、撮影中にフォーカス位置を４ｍ未満にすることは極めて稀であるので、従来のリモコンで３０ｃｍ〜４ｍｍの範囲の調整部分は使用されず、単にフォーカス位置調整の分解能を低下させていた。本実施形態では、最近接点設定部１５ａによって最近接点を設定するので、フォーカス位置調整部１５ｃによるフォーカス位置調整の分解能が向上する。
【００２５】
次に、調整範囲設定部１５ｂの回転ノブを回転させて調整範囲の調整を行う。ここで例えば調整範囲を４ｍ〜６ｍに設定すると、フォーカス位置調整部１５ｃをどのように設定しようとも、フォーカス位置は４ｍ〜６ｍの範囲外にならない。従来のリモコンでは、１つの回転ノブで例えば３０ｃｍ〜無限大までのフォーカス位置の調整を行なっていたので分解能が悪かったが、本実施形態によれば、このような狭い範囲でのみ調整が可能であるので、フォーカス位置調整部１５ｃによるフォーカス位置調整の分解能が向上する。
【００２６】
最後に、設定された最近接点及び調整範囲において（例：４〜６ｍの範囲において）、フォーカス位置調整部１５ｃによるフォーカス位置調整を行う。上述した通り、１つの現場で必要なフォーカス位置の範囲は限定されているし、また、現場が変わっても必要なフォーカス位置の範囲は大きくは変わらないことが多いので、別の現場に移動した後も、最近接点設定部１５ａ及び調整範囲設定部１５ｂでの調整を全く行わないか、少しの調整を行うだけで、即座に適切なセッティングが可能になる。
【００２７】
次に、図３を用いて、本実施形態のフォーカス位置制御部１５の具体的な回路構成について説明する。この回路構成は、本実施形態の機能を実現するための一例であって、同様の機能が実現可能であれば、回路構成は別のものであってもよい。
【００２８】
図３に示す回路の両端は、ビデオカメラリモコン１の例えば上部に設けられたピンジャックに電気的に接続されており、このピンジャックに接続されたケーブル２を介してビデオカメラ３内の電子回路に連結され、その一部になっている。ビデオカメラ３の内部回路では、図３に示す回路で設定された抵抗値が検出され、検出された抵抗値に従ってレンズ５のフォーカスリングが回転されて、フォーカス位置の調整が行われる。図３の回路において、可変抵抗器ＶＲ１〜ＶＲ３は、それぞれ、最近接点設定部１５ａ、調整範囲設定部１５ｂ、及びフォーカス位置調整部１５ｃに対応し、スイッチＳＷは、切替スイッチ１５ｄに対応する。
【００２９】
以下の例では、ＶＲ１，ＶＲ２の調整範囲を０〜１００ｋΩとし、ＶＲ３の最大抵抗値を５０ｋΩとする。抵抗器Ｒ１及びＲ２は、可変抵抗器の抵抗値が０Ωの場合でも回路動作が不安定にならないようにするために設けられており、図３に示した抵抗値は例示であって、別の値であってもよい。また、別の方法で回路動作の安定性を確保すれば、Ｒ１及びＲ２は省略してもよい。また、図３の回路の動作を阻害するものでなければ、Ｒ１及びＲ２以外にも別の回路要素を追加してもよい。例えば、ＶＲ１と並列に抵抗器Ｒ３を配置して、全体の抵抗値の調整を行なってもよい。
【００３０】
以下の説明では、便宜上、回路全体の合成抵抗値が１ｋΩ大きくなる毎に、フォーカス位置が１０ｃｍ長くなると仮定する。この場合、フォーカス位置を４ｍ〜６ｍの範囲で調整したい場合、回路全体の合成抵抗値が４０〜６０ｋΩの範囲で調整可能になればよい。
【００３１】
まず、切替スイッチ１５ｄを「ＭＡＮＵ」の側にすると、スイッチＳＷの接点１と２が導通されて閉回路が形成される。
【００３２】
次に、最近接点設定部１５ａの回転ノブを回転させて、ＶＲ１の抵抗値を変化させ、例えば３９ｋΩに設定する。この場合、ＶＲ２及びＶＲ３をどのように設定しようとも、回路全体の合成抵抗値は、ＶＲ１とＲ２の合成抵抗値（＝４０ｋΩ）より小さくならないので、フォーカス位置の最近接点が４ｍに設定される。なお、ＶＲ１の抵抗値をより小さくすれば、最近接点はより短くなり、より大きくすれば、最近接点はより長くなるので、ＶＲ１の抵抗値を変化させることによって最近接点の調整が可能である。
【００３３】
次に、調整範囲設定部１５ｂの回転ノブを回転させて、ＶＲ２の抵抗値を変化させ、例えば１５ｋΩに設定する。この場合、ＶＲ３が０ｋΩの場合に、回路全体の合成抵抗値が４０ｋΩになり、ＶＲ３が１００ｋΩの場合に、回路全体の合成抵抗値が６０ｋΩになるので、回路全体の合成抵抗値が４０〜６０ｋΩの範囲で調整可能になる。調整範囲はＶＲ２の抵抗値を大きくするに従って広がり、例えばＶＲ２を９０ｋΩにすると、ＶＲ３が１００ｋΩの場合に、回路全体の合成抵抗値が９０ｋΩになるので、回路全体の合成抵抗値が４０〜９０ｋΩの範囲で調整可能になり、調整範囲が広がる。
【００３４】
以上の作業で最近接点及び調整範囲の設定が完了し、この後は、撮影時に、フォーカス位置調整部１５ｃの回転ノブを回転させて、ＶＲ３の抵抗値を変化させることによって、４ｍ〜６ｍの範囲でフォーカス位置の調整を行う。具体的には、フォーカス位置調整部１５ｃを左にいっぱいに回したときに、フォーカス位置が４ｍになり、右にいっぱいに回したときに、フォーカス位置が６ｍになるので、フォーカス位置調整部１５ｃの回転ノブの可動範囲を目一杯に利用して、フォーカス位置の調整が可能であり、フォーカス位置調整の分解能が格段に向上する。
【符号の説明】
【００３５】
１：ビデオカメラリモコン
２：ケーブル
３：放送業務用ハンディビデオカメラ
５：レンズ
７：三脚
９：パーン棒
１１：ズーム調整部
１３：録画スタート／ストップ制御部
１３ａ：ロックスイッチ
１３ｂ：ＲＥＣボタン
１５：フォーカス位置制御部
１５ａ：最近接点設定部
１５ｂ：調整範囲設定部
１５ｃ：フォーカス位置調整部
１５ｄ：切替スイッチ
１７：絞り制御部
１７ａ：最小点設定部
１７ｂ：絞り調整範囲設定部
１７ｃ：絞り調整部
１７ｄ：切替スイッチ
ＶＲ１〜ＶＲ３：可変抵抗器
ＳＷ：スイッチ
【要約】 
【課題】ビデオカメラに有線接続され且つそのフォーカス位置を容易に調整可能なビデオカメラリモコンを提供する。
【解決手段】
本発明によれば、ビデオカメラに有線接続され且つそのフォーカス位置を調整するためのビデオカメラリモコンであって、前記フォーカス位置の最近接点を設定する最近接点設定部と、前記フォーカス位置の調整範囲を設定する調整範囲設定部と、設定された前記最近接点及び調整範囲において前記フォーカス位置を調整するフォーカス位置調整部とを備えるビデオカメラリモコンが提供される。
【選択図】図１【図１】
0005223017.tif 000002
【図２】
0005223017.tif 000003
【図３】
0005223017.tif 000004